(57)【要約】  医療用途において使用されるドレーンが、体腔内に埋め込まれるように構成された細長の導管を含んでもよく、この導管は近位端部および遠位端部を有する。この導管は体腔から流体を排出するように構成された少なくとも１つの通路、および導管の近位端部から遠位端部に延びる少なくとも１つの内腔を含んでもよい。この内腔はこの少なくとも１つの通路によって少なくとも部分的に取り囲まれてもよく、かつ壁によってこの少なくとも１つの通路から隔てられてもよい。この壁内の少なくとも１つの穴が、内腔とこの少なくとも１つの通路との間に流体連通を提供するように構成されてもよい。
2009529351.tif 000002
【特許請求の範囲】
【請求項１】
医療用途において使用されるドレーンであって、
体腔に埋め込まれるように構成され、近位端部および遠位端部を有する細長の導管を含み、導管が
前記体腔から流体を排出するように構成された少なくとも１つの通路と、
導管の前記近位端部から前記遠位端部に延び、前記少なくとも１つの通路によって少なくとも部分的に取り囲まれ、かつ壁によって前記少なくとも１つの通路から隔てられた少なくとも１つの内腔と、
前記内腔と前記少なくとも１つの通路との間に流体連通を提供するように構成された前記壁内の少なくとも１つの穴と
を含む、ドレーン。
【請求項２】
導管が抗炎症薬コーティング、抗感染薬コーティング、潤滑剤コーティング、粘液溶解薬コーティング、および抗炎症薬コーティングのうちの少なくとも１つを含む、請求項１に記載のドレーン。
【請求項３】
導管の遠位端部に近い場所で前記内腔の中に少なくとも１つの感知用部材をさらに含み、前記感知用部材が前記体腔内の所望の場所で組織の少なくとも１つの生理学的特性を感知するように構成される、請求項１に記載のドレーン。
【請求項４】
導管の前記遠位端部に付随するポートをさらに含み、ポートがトロカールを受け入れるように構成される、請求項１に記載のドレーン。
【請求項５】
前記ポートによって取り外し可能に受け入れられるトロカールをさらに含み、トロカールが導管の前記遠位端部から延びる遠位端部を有する、請求項４に記載のドレーン。
【請求項６】
医療用途において使用されるドレーンであって、
体腔に埋め込まれるように構成され、近位端部および遠位端部を有する細長の導管を含み、導管が
前記体腔から流体を排出するように構成された少なくとも１つの通路と、
導管の前記近位端部から前記遠位端部に延び、前記少なくとも１つの通路によって少なくとも部分的に取り囲まれた少なくとも１つの内腔と、
導管の前記遠位端部において前記内腔を前記少なくとも１つの通路から隔てる壁であって前記内腔から前記体腔への少なくとも１つの流体の拡散を可能にするように構成された多孔質材料を含む壁と
を含む、ドレーン。
【請求項７】
導管の前記近位端部において内腔に付随する開口部をさらに含み、開口部が前記少なくとも１つの流体を受け取るように構成される、請求項６に記載のドレーン。
【請求項８】
前記開口部を選択的に開閉するように構成されたバルブ部材をさらに含む、請求項７に記載のドレーン。
【請求項９】
前記開口部から流体が流れ出るのを阻止するために前記開口部の中に挿入可能な栓をさらに含む、請求項７に記載のドレーン。
【請求項１０】
体腔の領域を除液する方法であって、
近位端部および遠位端部を有し、前記体腔から流体を排出するように構成された通路を含む細長の導管を体腔に埋め込む工程と、
導管の前記近位端部において内腔の開口部内へ少なくとも１つの流体を供給する工程とを含み、前記内腔が前記通路によって少なくとも部分的に取り囲まれ、かつ導管の前記遠位端部において壁によって前記通路から隔てられ、前記少なくとも１つの流体が前記壁を通って拡散し、かつ体腔の傷を治療するように構成される、方法。
【請求項１１】
前記流体が前記開口部から流れ出るのを阻止する工程をさらに含む、請求項１０に記載の方法。
【請求項１２】
医療用途において使用されるドレーンであって、
体腔に埋め込まれるように構成され、近位端部および遠位端部を有する細長の導管を含み、導管が
前記体腔から流体を排出するように構成された少なくとも１つの通路と、
導管の前記近位端部から前記遠位端部に延び、前記少なくとも１つの通路によって少なくとも部分的に取り囲まれた少なくとも１つの内腔と、
導管の遠位端部に近い場所で前記内腔内に少なくとも１つの感知用部材とを含み、前記感知用部材が前記体腔内の所望の場所で組織の形態学的特性と生理学的特性のうちの少なくとも１つを感知するように構成される、ドレーン。
【請求項１３】
前記感知用部材が温度、圧力、およびｐＨのうちの少なくとも１つを感知するように構成される、請求項１２に記載のドレーン。
【請求項１４】
前記感知用部材がトランスデューサを含む、請求項１２に記載のドレーン。
【請求項１５】
前記感知用部材がカメラを含む、請求項１２に記載のドレーン。
【請求項１６】
医療用途において使用されるドレーンであって、
体腔に埋め込まれるように構成され、近位端部および遠位端部を有する細長の導管を含み、導管が
前記体腔から流体を排出するように構成された少なくとも１つの通路と、
導管の前記近位端部から前記遠位端部に延び、前記少なくとも１つの通路によって少なくとも部分的に取り囲まれた少なくとも１つの内腔とを備え、さらに前記ドレーンは
導管の遠位端部に近い場所で前記内腔内に光源を含み、前記光源が前記体腔内の所望の場所を照明するように構成される、ドレーン。
【請求項１７】
光源が光ファイバ光源を含む、請求項１６に記載のドレーン。
【請求項１８】
導管の遠位端部に近い場所で前記内腔内にカメラをさらに含む、請求項１６に記載のドレーン。
【請求項１９】
医療用途において使用されるドレーンであって、
体腔に埋め込まれるように構成され、近位端部および遠位端部を有し、前記体腔から流体を排出するように構成された通路を含む細長の導管と、
前記通路内にスライド可能に配置され、かつ導管の前記近位端部から前記遠位端部に延びる細長の部材と、
導管の前記遠位端部において細長の部材に付随する膨張可能部材とを含み、膨張可能部材が前記導管のサイズおよび構造に実質的に補完的なサイズおよび構造に膨張可能である、ドレーン。
【請求項２０】
体腔の領域を除液する方法であって、
近位端部および遠位端部を有し、前記体腔から流体を排出するように構成された通路を含む細長の導管を体腔に埋め込む工程と、
前記通路内に細長の部材をスライド可能に挿入し、導管の前記近位端部から前記遠位端部に延びる工程と、
導管の前記遠位端部において細長の部材に付随する膨張可能部材を、前記導管のサイズおよび構造に実質的に補完的なサイズおよび構造に膨張させる工程と、
細長の部材および膨張可能部材を、前記通路から破片を除去するように導管の前記近位端部に向かう方向に押し付ける工程とを含む、方法。
【請求項２１】
医療用途において使用されるドレーンであって、
体腔に埋め込まれるように構成され、近位端部および遠位端部を有し、前記体腔から流体を排出するように構成された通路を含む細長の導管と、
導管に付随し、かつ実質的に導管の全長に延び、導管に動きを与えるように構成された細長の部材と、
導管に動きを与えるように細長の部材を操作するように構成された制御装置とを含む、ドレーン。
【請求項２２】
制御装置が、細長の部材を操作するための少なくとも１つのダイヤルを含む、請求項２１に記載のドレーン。
【請求項２３】
制御装置が、細長の部材を操作するためのジョイスティックを含む、請求項２１に記載のドレーン。
【請求項２４】
医療用途において使用されるドレーンであって、
体腔に埋め込まれるように構成され、近位端部、遠位端部、および長手方向軸を有する細長の導管と、
前記遠位端部において導管の中で軸方向に延びるハブ部分と、
前記遠位端部においてハブ部分と導管との間に延び、ハブ部分の周縁部の周りで互いに等間隔に配置され、前記体腔から流体を排出するように構成されて各々が実質的に同じ断面積を有する３つの通路を画成するようにハブ部分と導管のうちの少なくとも１つと協働する３つの壁と、
導管の前記近位端部から前記遠位端部に延び、前記通路のうちの少なくとも１つによって少なくとも部分的に取り囲まれた少なくとも１つの内腔とを含む、ドレーン。
【請求項２５】
導管が、通路のうちの少なくとも１つと導管の外部との間に流体連通を提供する少なくとも１つのスロットを含む、請求項２４に記載のドレーン。
【請求項２６】
前記内腔がハブ部を通って延びる、請求項２４に記載のドレーン。
【請求項２７】
ハブ部がこれを貫通する少なくとも１つの穴を含み、前記穴が前記内腔と通路のうちの少なくとも１つとの間に流体連通を提供する、請求項２６に記載のドレーン。
【請求項２８】
ハブ部が、前記内腔から通路のうちの少なくとも１つへの少なくとも１つの流体の拡散を可能にする材料を含む、請求項２６に記載のドレーン。
【請求項２９】
導管が抗炎症薬コーティング、抗感染薬コーティング、潤滑剤コーティング、粘液溶解薬コーティング、および抗炎症薬コーティングのうちの少なくとも１つを含む、請求項２４に記載のドレーン。
【請求項３０】
導管の遠位端部に近い場所で前記内腔内に少なくとも１つの感知用部材をさらに含み、前記感知用部材が前記体腔内の所望の場所で組織の形態学的特性と生理学的特性のうちの少なくとも１つを感知するように構成される、請求項２４に記載のドレーン。
【請求項３１】
導管の遠位端部に近い場所で前記内腔内に光源をさらに含み、前記光源が前記体腔内の所望の場所を照明するように構成される、請求項２４に記載のドレーン。
【請求項３２】
前記通路のうちの１つの中にスライド可能に配置され、かつ導管の前記近位端部から前記遠位端部に延びる細長の部材と、
導管の前記遠位端部において細長の部材に付随する膨張可能部材とをさらに含み、膨張可能部材が前記導管のサイズおよび構造に実質的に補完的なサイズおよび構造に膨張可能である、請求項２４に記載のドレーン。
【請求項３３】
導管に付随し、かつ実質的に導管の全長に延び、導管に動きを与えるように構成された細長の部材と、
導管に動きを与えるように細長の部材を操作するように構成された制御装置とをさらに含む、請求項２４に記載のドレーン。
【発明の詳細な説明】
【技術分野】
【０００１】
本出願は、その開示がその全体において参照として本願明細書に組み込まれる米国特許仮出願第６０／７４３１０３号明細書に対する優先権を主張するものである。
【０００２】
本発明は医療用途において使用されるドレーンおよびそのようなドレーンを使用する方法に向けられる。さらに特定すると、本発明は体腔の領域から流体を排出するために体腔の中に挿入されるように構成されたドレーン、および体腔の領域から流体を除去する方法に関する。
【背景技術】
【０００３】
ブレイクドレーンなどの従来式のドレーンチューブはドレーンの近位端部、すなわち使用者に最も近い端部に中央内腔を有する。この中央内腔はドレーンの遠位端部まで延びない。付け加えると、ブレイクドレーンは組織および血液凝塊の排出のための４つの通路を含む。４つの通路のせいで、各々の通路の断面寸法は小さいサイズであり、これは組織および血液凝塊の排出を妨げることがある。
【０００４】
従来式のドレーンチューブはまた、いくつかの医療用途で望ましいと見込まれる他の特徴も欠いている。例えば、従来式のドレーンチューブはターゲットの部位における組織の形態学的および／または生理学的特徴をモニタする機構を含まない。また、これらは排出中にターゲット部位を観察するための視覚化機構も含まない。ブレイクドレーンなどの従来式のドレーンはドレーン通路内で形成する凝集塊などの栓または破片を除去するための機構もやはり欠いている。
【発明の開示】
【発明が解決しようとする課題】
【０００５】
本発明の、医療用途において使用されるドレーンおよび／または体腔から流体を排出する方法は上記に述べられた問題のうちの１つまたは複数を解決する。
【課題を解決するための手段】
【０００６】
様々な態様において、本発明は医療用途において使用されるドレーンに向けられる。このドレーンは体腔内に埋め込まれるように構成された細長の導管を含んでもよく、この導管は近位端部および遠位端部を有する。この導管は体腔から流体を排出するように構成された少なくとも１つの通路、および導管の近位端部から遠位端部に延びる少なくとも１つの内腔を含んでもよい。この内腔はこの少なくとも１つの通路によって少なくとも部分的に取り囲まれてもよく、かつ壁によってこの少なくとも１つの通路から隔てられてもよい。内腔とこの少なくとも１つの通路との間に流体連通を提供するために壁に少なくとも１つの穴が構成されてもよい。
【０００７】
いくつかの態様において、本発明は医療用途において使用されるドレーンに向けられる。このドレーンは体腔内に埋め込まれるように構成された細長の導管を含んでもよく、この導管は近位端部と遠位端部を有する。この導管は体腔から流体を排出するように構成された少なくとも１つの通路、および導管の近位端部から遠位端部に延びる少なくとも１つの内腔を含んでもよい。この内腔はこの少なくとも１つの通路によって少なくとも部分的に取り囲まれてもよく、かつ壁が導管の遠位端部でこの少なくとも１つの通路から内腔を隔ててもよい。この壁は内腔から体腔への少なくとも１つの流体の拡散を可能にするように構成された多孔質材料を含んでもよい。
【０００８】
様々な態様によれば、本発明は体腔の領域を除液する方法に向けられる。本方法は体腔に細長の導管を埋め込む工程を含んでもよく、この導管は近位端部および遠位端部を有し、少なくとも１つの流体を導管の近位端部の内腔の開口部の中に供給する。この導管は前記体腔から流体を排出するように構成された通路を含んでもよく、内腔は通路によって少なくとも部分的に取り囲まれ、導管の遠位端部で壁によって通路から隔てられてもよい。少なくとも１つの流体はこの壁を通って拡散し、体腔の傷を治療するように構成されてもよい。
【０００９】
いくつかの態様によれば、本発明は医療用途において使用されるドレーンに向けられる。このドレーンは体腔内に埋め込まれるように構成された細長の導管を含んでもよく、この導管は近位端部および遠位端部を有する。この導管は体腔から流体を排出するように構成された少なくとも１つの通路、および導管の近位端部から遠位端部に延びる少なくとも１つの内腔を含んでもよく、内腔はこの少なくとも１つの通路によって少なくとも部分的に取り囲まれてもよい。少なくとも１つの感知用部材が導管の遠位端部に近い場所で内腔の中にあってもよく、この感知用部材は体腔内の所望の場所で組織の形態学的および生理学的特徴のうちの少なくとも１つを感知するように構成されてもよい。
【００１０】
様々な態様によれば、本発明は医療用途において使用されるドレーンに向けられる。このドレーンは体腔内に埋め込まれるように構成された細長の導管を含んでもよく、この導管は近位端部および遠位端部を有する。この導管は体腔から流体を排出するように構成された少なくとも１つの通路、および導管の近位端部から遠位端部に延びる少なくとも１つの内腔を含んでもよく、内腔はこの少なくとも１つの通路によって少なくとも部分的に取り囲まれてもよい。このドレーンは導管の遠位端部に近い場所で内腔の中に光源を含んでもよく、この光源は体腔内の所望の場所を照明するように構成されてもよい。
【００１１】
様々な態様によれば、本発明は医療用途において使用されるドレーンに向けられる。このドレーンは体腔内に埋め込まれるように構成された細長の導管を含んでもよく、この導管は近位端部および遠位端部を有する。この導管は体腔から流体を排出するように構成された少なくとも１つの通路を含んでもよい。このドレーンは通路内でスライド可能に配置され、かつ導管の近位端部から前記遠位端部に延びる細長の部材を含んでもよい。膨張可能な部材が導管の遠位端部でこの細長の部材に付随してもよく、この膨張可能な部材は通路のうちの１つのサイズおよび構造に実質的に補完的なサイズおよび構造に膨張することが可能であってもよい。
【００１２】
様々な態様で、本発明は体腔の領域を除液する方法に向けられる。本方法は体腔に細長の導管を埋め込む工程を含んでもよく、この導管は近位端部および遠位端部を有してもよく、かつこの導管は体腔から流体を排出するように構成された通路を含んでもよい。本方法は細長の部材を通路内にスライド可能に挿入する工程を含んでもよく、この細長の部材は導管の近位端部から遠位端部に延びてもよい。本方法はまた、導管の遠位端部で細長の部材に付随する膨張可能な部材を通路のうちの１つのサイズおよび構造に実質的に補完的なサイズおよび構造に膨張させる工程と、通路から破片を除去するように細長の部材および膨張可能な部材を導管の近位端部に向かって引き出す工程とを含んでもよい。
【００１３】
いくつかの態様によれば、本発明は医療用途において使用されるドレーンに向けられる。このドレーンは体腔内に埋め込まれるように構成された細長の導管を含んでもよく、この導管は近位端部および遠位端部を有し、かつこの導管は体腔から流体を排出するように構成された通路を含んでもよい。このドレーンは導管に付随し、かつ実質的に導管の全長に延びる細長の部材を含んでもよく、この細長の部材は導管に動きを与えるように構成されてもよい。導管に動きを与えるように細長の部材を動作させるように制御装置が構成されることもあり得る。
【００１４】
様々な態様によれば、本発明は医療用途において使用されるドレーンに向けられる。このドレーンは体腔内に埋め込まれるように構成された細長の導管を含んでもよく、この導管は近位端部、遠位端部、および長手方向軸を有する。このドレーンは遠位端部において導管の中で軸方向に延びるハブ部分、前記遠位端部においてこのハブ部分と導管との間に延びる３つの壁、および導管の前記近位端部から前記遠位端部に延びる少なくとも１つの内腔を含んでもよい。これらの壁はこのハブ部分の周縁部の周りで互いに等間隔に配置されてもよく、前記体腔から流体を排出するように構成される３つの通路を画成するようにこれらの壁がハブ部分と導管のうちの少なくとも一方と協働してもよく、内腔はこれらの通路のうちの少なくとも１つによって少なくとも部分的に取り囲まれてもよい。３つの通路の各々が実質的に同じ断面積を有してもよい。
【００１５】
前述の一般的な説明および以下の詳細な説明の両方が例示のものおよび解説にすぎず、本発明を限定するものではないことは理解されるはずである。
【００１６】
本願明細書に組み入れられてその一部を構成する添付の図面は本発明のいくつかの例示の実施形態を図解しており、解説と一緒になって本発明の原理を説明することに役立つ。
【発明を実施するための最良の形態】
【００１７】
以下、本発明の実施形態に詳しく参照がなされ、その例が添付の図面に示される。いずれの場所であっても、同じ参照番号は同じまたは類似した部分を参照するように図面全部を通じて使用される。
【００１８】
医療用途において使用される例示の実施形態のドレーン１００が図１に示される。ドレーン１００は、例えば人間の胸腔などの体腔に埋め込まれるように構成された細長の導管１０２を含んでもよい。この導管は近位端部１０４、遠位端部１０６、および長手方向軸１０８を有してもよい。
【００１９】
ドレーン１００は遠位端部１０６において導管の中で軸方向に延びるハブ部分１１０を含んでもよい。様々な態様によれば、ハブ部分１１０は図２の断面図に示されるように実質的に導管１０２の中心にあってもよい。
【００２０】
いくつかの例示の態様によれば、ドレーン１００は遠位端部１０６においてハブ部分１１０と導管１０２との間に延びる３つの壁１１２、１１４、１１６を含んでもよい。いくつかの実施形態においてドレーンが３つよりも多い、または少ない壁を含み得ることは理解されるはずである。壁１１２、１１４、１１６はハブ部分１１０の周縁部の周りで互いに等間隔に配置されてもよい。様々な態様によれば、壁１１２、１１４、１１６は体腔から流体を排出するように構成される３つの通路１２２、１２４、１２６を画成するようにハブ部分１１０および／または導管１０２と協働してもよい。いくつかの態様において、３つの通路１２２、１２４、１２６の各々が実質的に同じ断面積を有してもよい。図２に示されるように、３つの通路１２２、１２４、１２６は導管１０２の遠位端部１０６の断面積の大部分を含む。結果として、通路１２２、１２４、１２６は一層大きい凝塊および破片が体腔から排出されることが可能になるように比較的大きい断面積を備えた経路を提供することができる。一層大きい通路はまた、比較的低い組織内方成長という結果につながることもあり得る。
【００２１】
ドレーン１００は導管１０２の近位端部１０４から遠位端部１０６に延びる少なくとも１つの内腔１２０を含んでもよい。内腔１２０は通路１２２、１２４、１２６のうちの１つまたは複数によって少なくとも部分的に取り囲まれてもよい。様々な例示の態様によれば、内腔１２０は導管１０２の遠位端部１０６の中心にあって、例えばいくつかの例示の実施形態のハブ部分１１０を通って延びてもよい。図３の断面図に示されるように、内腔１２０は遠位端部１０６では導管１０２の中心にあり、近位端部１０４に向かって延びるにつれて導管１０２の壁の近くにあってもよい。
【００２２】
導管１０２は１つまたは複数の通路１２２、１２４、１２６に付随する１つまたは複数のスロット１３２、１３４、１３６を含んでもよい。例えば、いくつかの態様によれば、導管１０２は各々の通路に付随する１つのスロットを含んでもよい。スロット１３２、１３４、１３６は通路１２２、１２４、１２６のうちの該当する１つと導管１０２の外部との間に流体連通を提供するようにサイズ設定されて配置されてもよい。
【００２３】
様々な態様によれば、図１に示されるようにハブ部分１１０はこれを貫通する１つまたは複数の穴１３８を含んでもよい。これら１つまたは複数の穴１３８は前記内腔１２０と通路１２２、１２４、１２６のうちの少なくとも１つとの間に流体連通を提供するようにサイズ設定されて配置されてもよい。例えば、穴１３８は通路１２２、１２４、１２６のうちの１つ、いくつか、または全部と位置合わせされてもよい。
【００２４】
いくつかの実施形態において内腔１２０がハブ部分１１０とは別になった構造体（図示せず）によって画成されることもあり得ることは理解されるはずである。そのようなケースでは、内腔１２０と内腔１２０の外の１つまたは複数の通路との間に流体連通を提供するように穴１３８は内腔１２０を画成する構造体を貫通していてもよい。
【００２５】
様々な態様によれば、穴１３８に加えて、または置き換えて、ハブ部分１１０は内腔１２０からハブ部分１１０の壁を通って通路１２２、１２４、１２６のうちの１つまたは複数に入る流体の拡散を可能にする材料を含んでもよい。ハブ部分１１０とは別になった構造体（図示せず）が内腔１２０を画成するいくつかの実施形態では、この構造体は内腔１２０から構造体の壁を通って通路１２２、１２４、１２６のうちの１つまたは複数に入る流体の拡散を可能にする材料を含んでもよい。拡散が通路１２２、１２４、１２６のうちの１つまたは複数に対して可能になるように拡散を可能にする材料をハブ部分１１０または構造体の一部分または全部分が含んでもよいことは理解されるはずである。
【００２６】
いくつかの態様では、導管１０２は導管１０２の近位端部１０４において内腔１２０に付随する開口部１１８、例えば流体ポートを含んでもよい。この開口部は１つまたは複数の流体供給源（図示せず）から前記少なくとも１つの流体を受け取るように構造化されて配置されてもよい。バルブ部材１２８が流体ライン１２９を介して開口部１１８に流体連結されてもよい。このバルブ部材１２８は開口部１１８への流体の流れを許容または遮断するように手動または自動のどちらかで選択的に開閉するように動作可能であってもよい。
【００２７】
いくつかの態様において開口部１１８が栓（図示せず）で選択的に開閉されてもよいことは理解されるはずである。この栓は開口部に取り外し可能に挿入されるように構造化されて配置されてもよい。いくつかの態様によれば、内腔１２０は少なくとも１つの流体で少なくとも部分的に満たされてよく、次いでこの少なくとも１つの流体が開口部１１８から流れ出るのを阻止するために栓が開口部１１８に挿入されてもよい。
【００２８】
図４を参照すると、いくつかの実施形態によれば導管１０２はコーティング４０３、例えば抗炎症薬コーティング、抗感染薬コーティング、潤滑剤コーティング、および／または粘液溶解薬コーティングを含むこともあり得る。例えば、このコーティングはサリチル酸、アセトアミノフェン、アロエベラ、銀、クロルヘキシジン、ポリヘキサメチルビグイアニド、および／またはＮＳＡＩＤＳを含んでもよい。適切なコーティングの限定的ではない追加的な例は米国特許第６３２９４８８号、第６５９６４０１号、第６７１６８９５号、および第６９４９５９８号明細書に見出されることが可能であり、これらの開示はそれらの全体において参照として本願明細書に組み込まれる。
【００２９】
次に図５を参照すると、医療用途において使用される例示のドレーン５００が図解されている。ドレーン５００は例えば人間の胸腔などの体腔に埋め込まれるように構成された細長の導管５０２を含んでもよい。この導管は近位端部５０４、遠位端部５０６、および長手方向軸５０８を有してもよい。
【００３０】
ドレーン５００は遠位端部５０６において導管の中で軸方向に延びるハブ部分５１０を含んでもよい。ハブ部分５１０は導管５０２の近位端部５０４から遠位端部５０６に延びる内腔５２０を画成してもよい。様々な態様によれば、ハブ部分５１０は実質的に導管５０２の中心にあってもよい。いくつかの態様においてハブ部分５１０が導管５０２の壁の近くに配置されてもよいことは理解されるはずである。いくつかの実施形態において内腔５２０がハブ部分５１０とは別になった構造体（図示せず）によって画成されてもよいこともさらに理解されるはずである。
【００３１】
いくつかの例示の態様によれば、ドレーン５００は遠位端部５０６においてハブ部分５１０と導管５０２との間に延びる複数の壁５１２、５１４、５１６を含んでもよい。いくつかの実施形態においてドレーンが図５に示された３つの壁よりも多い、または少ない壁を含み得ることは理解されるはずである。様々な態様によれば、壁５１２、５１４、５１６は体腔から流体を排出するように構成される複数の通路５２２、５２４、５２６を画成するようにハブ部分５１０および／または導管５０２と協働してもよい。
【００３２】
いくつかの例示の態様によれば、ドレーン５００は導管５０２の遠位端部５０６に近い場所で内腔５２０内に１つまたは複数の感知用部材５３２を含んでもよい。感知用部材５３２は、例えば体腔内の所望の場所で組織の１つまたは複数の形態学的特性および／または１つまたは複数の生理学的特性を感知するように構成されてもよい。例えば、感知用部材５３２は温度、圧力、組織のＯ２および／またはｐＨを判定するために使用されることが可能なパラメータを感知するように構成されてもよい。感知用部材５３２が当業者によって理解されるであろう他のパラメータを感知するように構成されてもよいことは理解されるはずである。
【００３３】
感知用部材５３２は、例えば電線または無線接続を介して制御器５４０に電気的に接続されてもよい。制御器５４０は感知用部材５３２から受信された信号を受信、処理および／または解釈するように構成されてもよい。制御器５４０は使用者によって理解可能な形の形態学的および／または生理学的特性に関する情報を出力するように構成されてもよい。
【００３４】
様々な例示の態様によれば、ドレーン５００は導管５０２の遠位端部５０６に近い場所で内腔５２０内に光源５３４を含んでもよい。例えば光ファイバの光源である光源５３４は体腔内の所望の場所を照明するように構成されてもよい。いくつかの態様では、光源５３４は制御器５４０に電気的に接続されてよく、光源５３４を制御可能に操作するように構成されてもよい。１つまたは複数の感知用部材５３２と光源５３４がいくつかの実施形態において共存してもよいが、その一方で他の実施形態が１つまたは複数の感知用部材５３２または光源５３４を含み得ることは理解されるはずである。いくつかの態様によれば、感知用部材５３２は真空効果を感知してもよく、または１つまたは複数の圧力感知用および／またはｐＨ感知用トランスデューサなどのトランスデューサ、温度サーミスタ、および／または例えばスチルカメラもしくはビデオカメラなどの視覚化機構を含んでもよい。このカメラは傷の治癒および／または体腔の除液の評価の補助をしてもよく、または使い捨ての光学素子を含んでもよい。いくつかの態様によれば、トランスデューサは超音波トランスデューサを含んでもよい。
【００３５】
ここで図６を参照すると、医療用途において使用される例示のドレーン６００が図解されている。ドレーン６００は、例えば人間の胸腔などの体腔に埋め込まれるように構成された細長の導管６０２を含んでもよい。この導管は近位端部６０４、遠位端部６０６、および長手方向軸６０８を有してもよい。
【００３６】
ドレーン６００は遠位端部６０６において導管の中で軸方向に延びるハブ部分６１０を含んでもよい。ハブ部分６１０は導管６０２の近位端部６０４から遠位端部６０６に延びる内腔６２０を画成してもよい。様々な態様によれば、ハブ部分６１０は実質的に導管６０２の中心にあってもよい。いくつかの態様においてハブ部分６１０が導管６０２の壁の近くに配置されてもよいことは理解されるはずである。いくつかの実施形態において内腔６２０がハブ部分６１０とは別になった構造体（図示せず）によって画成されてもよいこともさらに理解されるはずである。
【００３７】
いくつかの例示の態様によれば、ドレーン６００は遠位端部６０６においてハブ部分６１０と導管６０２との間に延びる複数の壁６１２、６１４、６１６を含んでもよい。いくつかの実施形態においてドレーンが図６に示された３つの壁よりも多い、または少ない壁を含み得ることは理解されるはずである。様々な態様によれば、壁６１２、６１４、６１６は体腔から流体を排出するように構成される複数の通路６２２、６２４、６２６を画成するようにハブ部分６１０および／または導管６０２と協働してもよい。
【００３８】
ドレーン６００は通路６２２、６２４、６２６のうちの１つの中にスライド可能に配置された細長の部材６５０を含んでもよい。細長の部材６５０は導管６０２の近位端部６０４から遠位端部６０６に延びてもよい。膨張可能な部材６５２が導管６０２の遠位端部６０６に向かって細長の部材６５０に付随してもよい。膨張可能な部材６５２は、例えば細長の部材６５０を通って延びる内腔６５４を経由して、例えば膨張用空気を膨張可能部材６５２に供給することによって膨張可能であってもよい。
【００３９】
図６に示されるように、膨張可能部材６５２は通路６２２のサイズおよび構造に実質的に補完的なサイズおよび構造に膨張可能であってもよい。したがって、いったん膨張可能部材６５２が実質的に膨張させられると、膨張可能部材６５２は導管６０２の近位端部６０４に向かう方向に押し付けられることが可能になり、それによって破片、例えば通路を詰まらせていることもあり得る破片を通路６２２から除去する。
【００４０】
ここで図７を参照すると、医療用途において使用される例示のドレーン７００が図解されている。ドレーン７００は、例えば人間の胸腔などの体腔に埋め込まれるように構成された細長の導管７０２を含んでもよい。この導管は近位端部７０４、遠位端部７０６、および長手方向軸７０８を有してもよい。
【００４１】
ドレーン７００は遠位端部７０６において導管の中で軸方向に延びるハブ部分７１０を含んでもよい。ハブ部分７１０は導管７０２の近位端部７０４から遠位端部７０６に延びる内腔７２０を画成してもよい。様々な態様によれば、ハブ部分７１０は実質的に導管７０２の中心にあってもよい。いくつかの態様においてハブ部分７１０が導管７０２の壁の近くに配置されてもよいことは理解されるはずである。いくつかの実施形態において内腔７２０がハブ部分７１０とは別になった構造体（図示せず）によって画成されてもよいこともさらに理解されるはずである。
【００４２】
いくつかの例示の態様によれば、ドレーン７００は遠位端部７０６においてハブ部分７１０と導管７０２との間に延びる複数の壁７１２、７１４、７１６を含んでもよい。いくつかの実施形態においてドレーンが図６に示された３つの壁よりも多い、または少ない壁を含み得ることは理解されるはずである。様々な態様によれば、壁７１２、７１４、７１６は体腔から流体を排出するように構成される複数の通路７２２、７２４、７２６を画成するようにハブ部分７１０および／または導管７０２と協働してもよい。
【００４３】
ドレーン７００は導管７０２に付随し、かつ実質的に導管７０２の全長に延びる細長の部材７６０を含んでもよい。図７に示されるように、いくつかの態様によれば、細長の部材７６０は内腔７２０内にあってもよい。様々な態様によれば、細長の部材７６０は通路７２２、７２４、７２６のうちの１つの中にあってもよく、または部材７６０はハブ７１０、壁７１２、７１４、７１６、もしくは導管７０２に内蔵されてもよく、または部材７６０は導管の外部上にあってもよい。細長の部材７６０は当業者によって理解されるであろうように導管７０２に（例えば平行移動および／または回転の）動きを与えるように構造化されて配置されてもよい。細長の部材７６０は、当業者によって理解されるであろうように導管に動きを与えるように細長の部材７６０を操作するように構成された制御装置７４０に電気的に接続されてもよい。したがって、導管はいったん挿入されると、または初期の設置の後に再配置されてもよい。様々な態様によれば、制御装置７４０は細長の部材７６０および／またはドレーン７００を制御可能に移動させ、かつ／または操作するためのユーザ入力に対応するために１つまたは複数のダイヤル、１つまたは複数のジョイスティックなどを含んでもよい。
【００４４】
前述の導管５０２、６０２、７０２のうちの１つまたは複数がコーティング、例えば抗炎症薬コーティング、抗感染薬コーティング、潤滑剤コーティング、および／または粘液溶解薬コーティングを含むこともあり得ることは理解されるはずである。例えば、このコーティングはサリチル酸、アセトアミノフェン、アロエベラ、銀、クロルヘキシジン、ポリヘキサメチルビグイアニド、および／またはＮＳＡＩＤＳを含んでもよい。
【００４５】
前述の例示のドレーン１００、５００、６００、７００のうちの１つまたは複数が例えばニチノールなどの形状記憶合金を含む１つまたは複数の要素を含み得ることもやはり理解されるはずである。形状記憶合金の使用はドレーン１００、５００、６００、７００が所望の用途のために構成されること、手順の一部の中で異なる構造に変えられること、およびその原初の構造を再び取ることができることを可能にし得る。ニチノールなどの例示の形状記憶合金およびその使用法は当業者によく知られている。
【００４６】
前述のドレーン５００、６００、７００のうちの１つまたは複数が図１に関連して上記で述べられた開口部１１８と同様の開口部を備えた導管を含み得ることは理解されるはずである。付け加えると、前述の例示のドレーン１００、５００、６００、７００のうちの１つまたは複数に関連して検討された例示の態様のうちの任意の１つまたは複数が、当業者によって理解されるであろうような他の態様と組み合わせて使用されることもあり得る。
【００４７】
前述のドレーン１００、５００、６００、７００のうちの１つまたは複数が導管の遠位端部に付随するポート（図示せず）を含み得ることもやはり理解されるはずである。このポートは、トロカールが導管の遠位端部から延びる遠位端部を有するようにトロカールを取り外し可能に受け入れるように構成されてもよい。
【００４８】
前述の例示のドレーン１００、５００、６００、７００が様々な医療用途に使用され得ることは理解されるはずである。例えば、体腔の領域を除液する１つの例示の方法は、細長の導管１０２、５０２、６０２、７０２を体腔に埋め込む工程、および導管１０２、５０２、６０２、７０２の近位端部１０４、５０４、６０４、７０４において内腔１２０、５２０、６２０、７２０の中の開口部１１８に少なくとも１つの流体を供給する工程を含んでもよい。内腔１２０、５２０、６２０、７２０は体腔の傷を治療するために内腔の壁を通る少なくとも１つの流体の拡散を可能にするように構成されてもよい。開口部１１８から流体が流れ出るのを阻止するためにバルブ部材または栓が使用されてもよい。
【００４９】
様々な態様によれば、体腔の領域を除液する例示の方法は、体腔に細長の導管６０２を埋め込む工程、および導管６０２によって少なくとも部分的に画成される通路６２２内に細長の部材６５０をスライド可能に挿入する工程を含んでもよい。次いで導管の前記遠位端部において細長の部材に付随する膨張可能部材が通路６２２のサイズおよび構造に実質的に補完的なサイズおよび構造に膨張させられてもよい。膨張した部材６５２が、通路６２２から破片を除去するように導管６０２の近位端部６０４に向かう方向に引き出されてもよい。
【００５０】
本願明細書および特許請求項で使用されるときの単一形「ある」、「この」などは明確にはっきりと１つの指示対象に限定されない限り複数の指示対象を含むことに留意するべきである。したがって、例えば「ある通路」への言及は２つ以上の異なる通路を包含する。本願明細書で使用されるとき、「含む」という用語および文法的なその変形語は限定をしないように意図され、それにより、リスト内の項目の列挙がリストアップされた項目と置き換えられること、またはそれに追加されることが可能な他の類似した項目を除外することはない。
【００５１】
本発明の範囲から逸脱することなく本発明のドレーンおよび方法に様々な改造および変形がなされ得ることは当業者に明らかであろう。本願明細書に開示された本発明の明細および実施の考慮より、本発明の他の実施形態は当業者に明らかであろう。本明細および例は例示のものにすぎないことが意図される。
【図面の簡単な説明】
【００５２】
【図１】本発明の様々な態様による例示のドレーンの透視図である。
【図２】図１の線ＩＩ−ＩＩに沿った断面図である。
【図３】図１の線ＩＩＩ−ＩＩＩに沿った部分的断面図である。
【図４】図２と同様の断面図であり、本発明の様々な態様を図解している。
【図５】本発明の様々な態様による例示のドレーンの透視図である。
【図６】本発明の様々な態様による例示のドレーンの透視図である。
【図７】本発明の様々な態様による例示のドレーンの透視図である。
【図１】
2009529351.tif 000003
【図２】
2009529351.tif 000004
【図３】
2009529351.tif 000005
【図４】
2009529351.tif 000006
【図５】
2009529351.tif 000007
【図６】
2009529351.tif 000008
【図７】
2009529351.tif 000009
【国際調査報告】
2009529351.tif 000010